(57)【特許請求の範囲】
【請求項１】
ヘッドボックス（１０）に第１遮蔽材（１４）の上端が取付けられ、第１遮蔽材（１４）の下端に取付けられた中間バー（１８）に第２遮蔽材（１６）の上端が取付けられ、ヘッドボックス（１０）から昇降可能に垂下した昇降コード（２２）の一端が第２遮蔽材（１６）の下端に取付けられ、ヘッドボックス（１０）から昇降可能に垂下した調光コード（３２）の一端が中間バー（１８）に取付けられ、昇降コード（２２）の一端が昇降することによって第２遮蔽材（１６）の下端が上昇・下降するようにし、調光コード（３２）が昇降することによって中間バー（１８）が上昇・下降するようにして第１遮蔽材（１４）と第２遮蔽材（１６）との露出割合が変化するようにしたブラインドにおいて、
調光コード（３２）の弛みを検出する弛み検出手段（４０）が設けられ、弛み検出手段（４０）が弛みを検出したときに昇降コード（２２）の一端の上昇操作を規制することを特徴とするブラインド。
【請求項２】
前記昇降コード（２２）の他端は、ヘッドボックス（１０）内に設けた巻取装置（２４）に巻取り・巻解き可能に連結されており、前記弛み検出手段（４０）は、弛みを検出したときに前記巻取装置（２４）の巻取を規制することを特徴とする請求項１記載のブラインド。
【発明の詳細な説明】
【０００１】
【発明の属する技術分野】
本発明は、第１遮蔽材と第２遮蔽材とを有するブラインドに関する。
【０００２】
【従来の技術】
従来のブラインドとして、ヘッドボックスに第１遮蔽材の上端が取付けられ、第１遮蔽材の下端に取付けた中間バーに第２遮蔽材の上端が取付けられるようにして、第１遮蔽材と第２遮蔽材とが上下２段に配置されたものが知られている。その第１遮蔽材と第２遮蔽材としては具体的にはプリーツスクリーンが用いられる。ヘッドボックスから昇降可能に垂下した昇降コードの一端が第２遮蔽材の下端に取付けられ、ヘッドボックスから昇降可能に垂下した調光コードの一端が中間バーに取付けられている。そして、昇降コードが昇降することによって第２遮蔽材の下端が上昇・下降するようにし、調光コードが昇降することによって中間バーが上昇・下降するようにして、第１遮蔽材と第２遮蔽材の露出割合が変化するようにしている。
【０００３】
【発明が解決しようとする課題】
ところで、上段の第１遮蔽材がある程度露出された状態で、昇降コードを上昇させて第２遮蔽材の下端から順次上昇させていくと、中間バーが上昇するに連れて、調光コードが弛んで畳み込まれた第１遮蔽材の間から垂れ下がり（”フケる”とも言う）、意匠的に好ましくないという問題がある。
【０００４】
本発明はかかる課題に鑑みなされたもので、調光コードのフケを防止することができるブラインドを提供することをその目的とする。
【０００５】
【課題を解決するための手段】
前述した目的を達成するために、請求項１記載の発明は、ヘッドボックスに第１遮蔽材の上端が取付けられ、第１遮蔽材の下端に取付けられた中間バーに第２遮蔽材の上端が取付けられ、ヘッドボックスから昇降可能に垂下した昇降コードの一端が第２遮蔽材の下端に取付けられ、ヘッドボックスから昇降可能に垂下した調光コードの一端が中間バーに取付けられ、昇降コードの一端が昇降することによって第２遮蔽材の下端が上昇・下降するようにし、調光コードが昇降することによって中間バーが上昇・下降するようにして第１遮蔽材と第２遮蔽材との露出割合が変化するようにしたブラインドにおいて、調光コードの弛みを検出する弛み検出手段が設けられ、弛み検出手段が弛みを検出したときに昇降コードの一端の上昇操作を規制することを特徴とする。調光コードの弛みが検出されると、昇降コードの上昇操作が規制されるため、調光コードの弛みが発生したままブラインドが上昇して畳み込まれた第１遮蔽材の間から調光コードがフケる、といった事態を防ぐことができる。そして、調光コードの弛みがない状態で、ブラインドが上昇するため、第１遮蔽材の間から調光コードがフケることはない。
【０００６】
また、請求項２記載の発明は、請求項１記載の前記昇降コードの他端が、ヘッドボックス内に設けた巻取装置に巻取り・巻解き可能に連結されており、前記弛み検出手段は、弛みを検出したときに前記巻取装置の巻取を規制することを特徴とする。巻取装置の巻取を規制することで、昇降コードの一端の上昇操作を規制することができる。巻取装置の巻取を規制するための手段としては、例えば、巻取装置と一体回転可能に取付けられ、ラチェット歯を有するラチェットと、調光コードが弛んだときに該ラチェット歯に噛み合い可能となるストッパ部材と、で構成することができる。
【０００７】
【発明の実施の形態】
以下、図面を用いて本発明の実施の形態を説明する。図１ないし図８は本発明に係るブラインドの実施形態を表す図である。
【０００８】
図において、１０はヘッドボックスであり、ブラケット１１によって窓枠や壁面等に固定されるものである。ヘッドボックス１０には、第１遮蔽材である上スクリーン１４の上端が取付けられている。また、上スクリーン１４の下端には中間バー１８が取付けられており、中間バー１８に第２遮蔽材である下スクリーン１６の上端が取付けられている。下スクリーン１６の下端はウエイトバー２０となっている。上スクリーン１４及び下スクリーン１６はそれぞれジグザグ状に折り畳み可能となったプリーツスクリーンで構成される。
【０００９】
ヘッドボックス１０からは昇降コード２２が昇降可能に垂下されており、昇降コード２２の一端は、上スクリーン１４の各襞、中間バー１８及び下スクリーン１６の各襞を挿通し、ウエイトバー２０に連結される。昇降コード２２の他端は、ヘッドボックス１０内で、回転可能に軸支された巻取パイプ２４に巻取り及び巻解き可能に連結されている。巻取パイプ２４の一端（図１の右端）には、巻取軸２６が一体回転するように連結されており、巻取軸２６にはコントロールユニット２８を介してプーリ（図示せず）に連結されている。プーリには操作コード３０が掛け回されており、その操作コード３０がブラインドの一端（図１の右端）から垂下されている。これらの巻取パイプ２４，巻取軸２６及びコントロールユニット２８とで巻取装置が構成される。
【００１０】
同じく、ヘッドボックス１０からは調光コード３２が昇降可能に垂下されており、調光コード３２の一端は、上スクリーン１４の各襞を挿通し、中間バー１８に連結される。調光コード３２の他端は、ヘッドボックス１０内で、方向を転換されてヘッドボックス１０の長手方向に沿って伸び、ヘッドボックス１０内のストッパ３４を介してヘッドボックス１０の他端（図１の左端）からヘッドボックス１０を導出して、ブラインドの他端（図１の左端）から垂下されて操作つまみ３６に連結されている。
【００１１】
また、ヘッドボックス１０内には、調光コード３２の弛みを検出すると共に巻取パイプ２４の回転を規制する弛み検出手段４０が設けられる。弛み検出手段４０は、図５及び図６に示したように、ヘッドボックス１０内で固定されるケース４２と、巻取パイプ２４の外側に巻取パイプ２４と一体に回転可能なるようにアダプタ４３を介して外嵌されたラチェット４４と、ケース４２内でラチェット４４の回転方向と略平行な方向にスライド可能となったストッパ４６と、ストッパ４６を付勢する弾性体であるバネ４８と、を有している。ストッパ４６には、挿通路４６ａが形成されており、その挿通路４６ａを、前記調光コード３２が挿通している。ラチェット４４の外周面には、多数のラチェット歯４４ａが形成されており、ストッパ４６には、ラチェット４４のラチェット歯４４ａに噛合可能となった歯４６ｂが形成されている。ストッパ４６はバネ４８によってストッパ４６がケース４２の側面に当接する位置まで付勢されており、その位置で、ストッパ４６の歯４６ｂがラチェット４４のラチェット歯４４ａに噛み合って、ラチェット４４の一方向の回転を阻止するようになっている。このラチェット４４の一方向の回転は、巻取パイプ２４の昇降コード２２の巻取方向の回転に対応している。図５及び図６に示す調光コード３２が弛んでいない通常時において、調光コード３２のテンションにより、ストッパ４６はバネの付勢力に抗して、その歯４６ｂがラチェット４４から離反するような位置に位置づけられている。
【００１２】
以上のように構成されるブラインドにおいて、その動作を説明する。まず、図１に示す状態においては、昇降コード２２が巻取パイプ２４からほぼ完全に巻解かれた状態にあって、ウエイトバー２０が最下端にある。また、調光コード３２の他端がヘッドボックス１０からある程度導出しており、中間バー１８は、上下方向中間高さにある。従って、上スクリーン１４と下スクリーン１６とはほぼ同じ程度の露出割合となっている。
【００１３】
この状態から、ヘッドボックス１０の他端（図１の左端）にある操作つまみ３６をつまんで、ストッパ３４を解除させて、下方または上方に移動させると、調光コード３２の一端が上方または下方に移動して、中間バー１８を上昇または下降させる。この中間バー１８の移動に応じて、上スクリーン１４と下スクリーン１６との露出割合が変化し、露出割合が小さくなった方のスクリーンは下方からその分、折り畳まれることとなる。
【００１４】
図１のように上スクリーン１４が、完全に畳み込まれておらず、ある程度の露出割合で露出されている状態において、操作コード３０を操作して、巻取パイプ２４を昇降コード２２の巻取方向へ回転させると、ウエイトバー２０が上昇する。ウエイトバー２０の上昇に伴って、最初は下スクリーン１６が下方から折り畳まれていき、下スクリーン１６が完全に折り畳まれると、次に中間バー１８が上昇していく。中間バー１８が上昇していくと上スクリーン１４が下方から折り畳まれていく。このとき、中間バー１８を支持していた調光コード３２には弛みが発生することになる。これにより、弛み検出装置４０において、調光コード３２によってラチェット４４から離反するように規制されていたストッパ４６が、調光コード３２からテンションを受けなくなるために、バネ４８によってストッパ４６がスライドし、図７に示すように、ストッパ４６の歯４６ｂがラチェット４４に噛み合う。これによって、もはや巻取パイプ２４が昇降コード２２の巻取方向の回転ができなくなり、ブラインドの上昇動作が強制的に停止される。
【００１５】
この停止を解除するためには、操作つまみ３６を操作して、ストッパ３４を解除して下方に下げると、調光コード３２の一端が上方に移動して、中間バー１８を上昇させる。そして、上スクリーン１４を完全に折り畳む。これにより、調光コード３２の弛みがなくなり、再びテンションが作用するため、弛み検出手段４０のストッパ４６の歯４６ｂはラチェット４４から離れて、巻取パイプ２４が再び回転可能となる。従って、操作コード３０を操作して、巻取パイプ２４を昇降コード２２の巻取方向へ回転させると、ウエイトバー２０が上昇し、上スクリーン１４及び下スクリーン１６とも畳み込まれる。畳み込まれた状態で、調光コード３２は弛んでいないので、畳み込まれた上スクリーン１４からフケることがなく、見栄えを悪化させることがない。
【００１６】
また、別の手順としては、予め図３のように、中間バー１８を完全に上昇させておいた状態から操作コード３０を操作して、巻取パイプ２４を昇降コード２２の巻取方向へ回転させると、ウエイトバー２０が中間バー１８に到達した時点で、ブラインドの上昇動作が終了するため、弛み検出手段４０が作動することなく、ブラインドを上昇させることができる。
【００１７】
ラチェット４４のラチェット歯４４ａとストッパ４６の歯４６ｂとの噛み合いは、巻取パイプ２４の昇降コード２２の巻取方向への回転のみを規制し、昇降コード２２の巻解き方向への回転については何ら規制しないため、ブラインドの下降時に調光コード３２に弛みが発生したとしても、巻取パイプ２４の回転が規制されることはない。
【００１８】
尚、弛み検出手段４０としては、説明した構成によらず、他の任意の構成とすることも可能である。
【００１９】
【発明の効果】
以上説明したように本発明によれば、調光コードの弛みが検出されると、昇降コードの上昇操作が規制されるため、調光コードの弛みが発生したままブラインドが上昇して畳み込まれた第１遮蔽材の間から調光コードがフケる、といった事態を防ぐことができる。そして、調光コードの弛みがない状態で、ブラインドが上昇するため、第１遮蔽材の間から調光コードがフケることはない。
【図面の簡単な説明】
【図１】本発明の実施形態によるブラインドの正面図である。
【図２】図１の側面図である。
【図３】図１の状態から中間バーが上昇した状態を表す正面図である。
【図４】図３の側面図である。
【図５】弛み検出手段を表す図１の５−５線に沿って見た断面図である。
【図６】図５の弛み検出手段の平面図である。
【図７】弛み検出手段が作動した状態を表す図５相当図である。
【図８】図７の弛み検出手段の平面図である。
【符号の説明】
１０  ヘッドボックス
１４  上スクリーン（第１遮蔽材）
１６  下スクリーン（第２遮蔽材）
１８  中間バー
２２  昇降コード
２４  巻取パイプ
３２  調光コード
４０  弛み検出手段
【図１】
0003691373.tif 000002
【図２】
0003691373.tif 000003
【図３】
0003691373.tif 000004
【図４】
0003691373.tif 000005
【図５】
0003691373.tif 000006
【図６】
0003691373.tif 000007
【図７】
0003691373.tif 000008
【図８】
0003691373.tif 000009